(57)【要約】【課題】予混合圧縮着火燃焼の過渡運転時や、通常燃焼から予混合圧縮着火燃焼への燃焼切替時においても、適切な予混合圧縮着火燃焼を実現することができる燃焼制御装置を提供する。【解決手段】燃焼制御装置は、エンジン回転数及びアクセル開度に基づいて燃料噴射量を決定し、エンジン回転数、燃料噴射量及び燃焼方式に基づいて燃料噴射時期を決定した後、筒内酸素量、燃料噴射前の筒内ガス温、燃料噴射時期、エンジン回転数、燃料噴射圧、外気温、気圧及び冷却水温に基づいて着火遅れを推定して、推定着火遅れτを求める。また、燃料噴射条件設定部は、エンジン回転数、燃料噴射量、外気温、気圧及び冷却水温に基づいて目標着火遅れτｔｐを求め、推定着火遅れτと目標着火遅れτｔｐとの着火遅れ偏差Δτｔｐを算出し、推定着火遅れτが目標着火遅れτｔｐよりも所定量以上短いときに、プレ噴射の燃料噴射量及び燃料噴射時期を決定する。【選択図】図３
2014136994.tif 000002
【特許請求の範囲】
【請求項１】
予混合圧縮着火燃焼を行うエンジンの燃焼制御装置において、
前記エンジンの燃焼室内に燃料を噴射する燃料噴射弁と、
メイン噴射を含む燃料噴射の燃料噴射量及び燃料噴射時期を決定する燃料噴射条件決定手段と、
前記燃料噴射弁から燃料を噴射させる前に前記燃料噴射による着火遅れを推定する着火遅れ推定手段と、
前記予混合圧縮着火燃焼を行う際の目標着火遅れを求める目標着火遅れ設定手段と、
前記着火遅れ推定手段により得られた推定着火遅れと前記目標着火遅れ設定手段により得られた目標着火遅れとの着火遅れ偏差を算出する着火遅れ偏差算出手段と、
前記推定着火遅れが前記目標着火遅れよりも所定量以上短いときに、前記メイン噴射の前に実施されるプレ噴射の燃料噴射量及び燃料噴射時期を決定するプレ噴射追加補正手段とを備えることを特徴とする燃焼制御装置。
【請求項２】
前記プレ噴射追加補正手段は、前記燃料噴射条件決定手段により前記プレ噴射の燃料噴射量及び燃料噴射時期が決定されていない場合に、前記プレ噴射の燃料噴射量及び燃料噴射時期を決定することを特徴とする請求項１記載の燃焼制御装置。
【請求項３】
前記推定着火遅れが前記目標着火遅れよりも短いときに、前記着火遅れ偏差算出手段により算出された前記着火遅れ偏差に応じて、前記燃料噴射条件決定手段により決定された前記燃料噴射の燃料噴射時期を遅角する噴射時期遅角補正手段を更に備えることを特徴とする請求項１または２記載の燃焼制御装置。
【請求項４】
前記推定着火遅れが前記目標着火遅れよりも長いときに、前記着火遅れ偏差算出手段により算出された前記着火遅れ偏差に応じて、前記燃料噴射条件決定手段により決定された前記燃料噴射の燃料噴射時期を進角する噴射時期進角補正手段を更に備えることを特徴とする請求項１〜３のいずれか一項記載の燃焼制御装置。
【請求項５】
前記着火遅れ偏差算出手段により算出された前記着火遅れ偏差に応じて、前記燃料噴射条件決定手段により決定された前記メイン噴射の燃料噴射量を変更するメイン噴射量変更補正手段を更に備えることを特徴とする請求項１〜４のいずれか一項記載の燃焼制御装置。
【請求項６】
前記着火遅れ推定手段は、前記燃焼室内の酸素量を検出する手段と、前記燃焼室内のガス温度を検出する手段とを有し、前記燃焼室内の酸素量及び前記燃焼室内のガス温度を用いて、前記着火遅れを推定することを特徴とする請求項１〜５のいずれか一項記載の燃焼制御装置。
【請求項７】
前記エンジンの回転数を検出する回転数検出手段を更に備え、
前記着火遅れ推定手段は、前記燃焼室内の酸素量、前記燃焼室内のガス温度、前記燃料噴射時期及び前記エンジンの回転数を用いて、前記着火遅れを推定することを特徴とする請求項６記載の燃焼制御装置。
【請求項８】
前記燃料噴射弁からの燃料の噴射圧を検出する噴射圧検出手段を更に備え、
前記着火遅れ推定手段は、前記燃焼室内の酸素量、前記燃焼室内のガス温度及び前記燃料噴射弁からの燃料の噴射圧を用いて、前記着火遅れを推定することを特徴とする請求項６記載の燃焼制御装置。
【請求項９】
前記エンジンの周囲環境状況を検出する周囲環境検出手段を更に備え、
前記着火遅れ推定手段は、前記燃焼室内の酸素量、前記燃焼室内のガス温度及び前記エンジンの周囲環境状況を用いて、前記着火遅れを推定することを特徴とする請求項６記載の燃焼制御装置。
【発明の詳細な説明】
【技術分野】
【０００１】
本発明は、予混合圧縮着火（ＰＣＣＩ）燃焼を行うエンジンの燃焼制御装置に関するものである。
【背景技術】
【０００２】
予混合圧縮着火燃焼を行うエンジンの燃焼制御装置としては、例えば特許文献１に記載されているものが知られている。特許文献１に記載の燃焼制御装置は、実際の着火時期を検出し、低温予混合燃焼域であるときに、実際の着火時期と着火時期目標値とを比較し、実際の着火時期が噴射終わり時期と同じまたは噴射終わり時期より遅角側となるように着火時期を制御するというものである。
【先行技術文献】
【特許文献】
【０００３】
【特許文献１】特開平１１−１０７８２０号公報
【発明の概要】
【発明が解決しようとする課題】
【０００４】
しかしながら、上記従来技術においては、着火時期をフィードバック制御しているため、予混合圧縮着火燃焼の過渡運転時や、通常燃焼（拡散燃焼）から予混合圧縮着火燃焼への燃焼切替時には、制御遅れにより着火時期の制御が不安定にならざるを得ない。このため、例えば着火遅れが目標値よりも短縮し、燃焼騒音の悪化、ＮＯｘ排出量の増大、トルク変動等が発生する可能性がある。
【０００５】
本発明の目的は、予混合圧縮着火燃焼の過渡運転時や、通常燃焼から予混合圧縮着火燃焼への燃焼切替時においても、適切な予混合圧縮着火燃焼を実現することができる燃焼制御装置を提供することである。
【課題を解決するための手段】
【０００６】
本発明は、予混合圧縮着火燃焼を行うエンジンの燃焼制御装置において、エンジンの燃焼室内に燃料を噴射する燃料噴射弁と、メイン噴射を含む燃料噴射の燃料噴射量及び燃料噴射時期を決定する燃料噴射条件決定手段と、燃料噴射弁から燃料を噴射させる前に燃料噴射による着火遅れを推定する着火遅れ推定手段と、予混合圧縮着火燃焼を行う際の目標着火遅れを求める目標着火遅れ設定手段と、着火遅れ推定手段により得られた推定着火遅れと目標着火遅れ設定手段により得られた目標着火遅れとの着火遅れ偏差を算出する着火遅れ偏差算出手段と、推定着火遅れが目標着火遅れよりも所定量以上短いときに、メイン噴射の前に実施されるプレ噴射の燃料噴射量及び燃料噴射時期を決定するプレ噴射追加補正手段とを備えることを特徴とするものである。
【０００７】
予混合圧縮着火燃焼の過渡運転時や、通常燃焼（拡散燃焼）から予混合圧縮着火燃焼への燃焼切替時には、着火遅れが目標値から乖離することで、燃焼騒音の増大が生じやすくなる。そこで、本発明の燃焼制御装置においては、燃料噴射弁から燃料を噴射させる前に燃料噴射による着火遅れを推定して、推定着火遅れを求める共に、予混合圧縮着火燃焼を行う際の目標着火遅れを求め、推定着火遅れと目標着火遅れとの着火遅れ偏差を算出し、推定着火遅れが目標着火遅れよりも所定量以上短いときに、メイン噴射の前に実施されるプレ噴射の燃料噴射量及び燃料噴射時期を決定する。従って、メイン噴射が実施される前には、プレ噴射が実施されることになる。これにより、予混合圧縮着火燃焼の過渡運転時や、通常燃焼から予混合圧縮着火燃焼への燃焼切替時に、燃焼騒音を低減することができる。
【０００８】
好ましくは、プレ噴射追加補正手段は、燃料噴射条件決定手段によりプレ噴射の燃料噴射量及び燃料噴射時期が決定されていない場合に、プレ噴射の燃料噴射量及び燃料噴射時期を決定する。
【０００９】
例えば、エンジンの負荷が低いときは、プレ噴射を実施することがある。このような場合には、推定着火遅れが目標着火遅れよりも所定量以上短いときでも、プレ噴射を実施しないようにすることで、必要以上のプレ噴射の実施を防ぐことができる。
【００１０】
また、好ましくは、推定着火遅れが目標着火遅れよりも短いときに、着火遅れ偏差算出手段により算出された着火遅れ偏差に応じて、燃料噴射条件決定手段により決定された燃料噴射の燃料噴射時期を遅角する噴射時期遅角補正手段を更に備える。
【００１１】
このように推定着火遅れが目標着火遅れよりも短いときには、着火遅れ偏差に応じて燃料噴射時期を遅角することにより、予混合圧縮着火燃焼の過渡運転時や、通常燃焼から予混合圧縮着火燃焼への燃焼切替時に、燃焼騒音を更に低減することができると共に、ＮＯｘ排出量の増加を抑制することができる。
【００１２】
さらに、好ましくは、推定着火遅れが目標着火遅れよりも長いときに、着火遅れ偏差算出手段により算出された着火遅れ偏差に応じて、燃料噴射条件決定手段により決定された燃料噴射の燃料噴射時期を進角する噴射時期進角補正手段を更に備える。
【００１３】
このように推定着火遅れが目標着火遅れよりも長いときには、着火遅れ偏差に応じて燃料噴射時期を進角することにより、予混合圧縮着火燃焼の過渡運転時や、通常燃焼から予混合圧縮着火燃焼への燃焼切替時に、失火を抑制することができる。
【００１４】
また、好ましくは、着火遅れ偏差算出手段により算出された着火遅れ偏差に応じて、燃料噴射条件決定手段により決定されたメイン噴射の燃料噴射量を変更するメイン噴射量変更補正手段を更に備える。
【００１５】
例えば、エンジントルクが必要以上に低いときは、着火遅れ偏差に応じてメイン噴射の燃料噴射量を増やすことで、エンジントルクを上げ、エンジントルクが必要以上に高いときは、着火遅れ偏差に応じてメイン噴射の燃料噴射量を減らすことで、エンジントルクを下げるようにする。これにより、予混合圧縮着火燃焼の過渡運転時や、通常燃焼から予混合圧縮着火燃焼への燃焼切替時に、エンジントルクの変動を抑制することができる。
【００１６】
さらに、好ましくは、着火遅れ推定手段は、燃焼室内の酸素量を検出する手段と、燃焼室内のガス温度を検出する手段とを有し、燃焼室内の酸素量及び燃焼室内のガス温度を用いて、着火遅れを推定する。
【００１７】
予混合圧縮着火燃焼の過渡運転時や、通常燃焼から予混合圧縮着火燃焼への燃焼切替時には、燃焼室内の酸素量及びガス温度のずれによって着火遅れが目標値から乖離しやすくなる。従って、燃焼室内の酸素量及びガス温度を検出し、それらを用いて着火遅れを推定することにより、高精度な推定着火遅れを得ることができる。これにより、プレ噴射の追加等といった燃料噴射条件の補正をより適切に行うことができる。
【００１８】
このとき、好ましくは、エンジンの回転数を検出する回転数検出手段を更に備え、着火遅れ推定手段は、燃焼室内の酸素量、燃焼室内のガス温度、燃料噴射時期及びエンジンの回転数を用いて、着火遅れを推定する。
【００１９】
着火遅れは、燃料噴射時期及びエンジンの回転数にも影響を受ける。従って、エンジンの回転数を検出し、燃料噴射時期及びエンジンの回転数も用いて着火遅れを推定することにより、より高精度な推定着火遅れを得ることができる。
【００２０】
また、燃料噴射弁からの燃料の噴射圧を検出する噴射圧検出手段を更に備え、着火遅れ推定手段は、燃焼室内の酸素量、燃焼室内のガス温度及び燃料噴射弁からの燃料の噴射圧を用いて、着火遅れを推定しても良い。
【００２１】
目標値からの着火遅れの乖離は、燃料噴射弁からの燃料の噴射圧のずれによっても生じ得る。従って、燃料噴射弁からの燃料の噴射圧を検出し、その噴射圧も用いて着火遅れを推定することにより、より高精度な推定着火遅れを得ることができる。
【００２２】
さらに、エンジンの周囲環境状況を検出する周囲環境検出手段を更に備え、着火遅れ推定手段は、燃焼室内の酸素量、燃焼室内のガス温度及びエンジンの周囲環境状況を用いて、着火遅れを推定しても良い。
【００２３】
推定着火遅れは、エンジンの周囲環境状況（外気温、気圧、冷却水温等）によって変動する。従って、エンジンの周囲環境状況を検出し、その周囲環境状況も用いて着火遅れを推定することにより、より高精度な推定着火遅れを得ることができる。
【発明の効果】
【００２４】
本発明によれば、予混合圧縮着火燃焼の過渡運転時や、通常燃焼から予混合圧縮着火燃焼への燃焼切替時においても、適切な予混合圧縮着火燃焼を実現することができる。
【図面の簡単な説明】
【００２５】
【図１】本発明に係る燃焼制御装置の一実施形態を備えたディーゼルエンジンを示す概略構成図である。
【図２】図１に示した燃焼制御装置の構成を示すブロック図である。
【図３】図２に示した燃料噴射条件設定部により実行される燃料噴射条件設定処理手順の詳細を示すフローチャートである。
【図４】図３に示した手順Ｓ１０６において着火遅れを推定する機能を示すブロック図である。
【図５】筒内酸素量及び燃料噴射前の筒内ガス温に対する着火遅れ感度を表す第１着火遅れ感度マップの一例を示すグラフである。
【図６】燃料噴射時期及びエンジン回転数に対する着火遅れ感度を表す第２着火遅れ感度マップの一例を示すグラフである。
【図７】クランク角と筒内ガス温との関係の一例を示すグラフである。
【図８】燃料噴射圧に対する着火遅れ感度を表す第３着火遅れ感度マップの一例を示すグラフである。
【図９】プレ噴射を行った場合における熱発生率波形（燃焼波形）の一例を示すグラフである。
【図１０】プレ噴射を行った場合とプレ噴射を行わない場合とにおける筒内酸素量に対する着火遅れ感度の一例を比較して示すグラフである。
【図１１】図２に示した燃料噴射制御部により実行される燃料噴射制御処理手順の詳細を示すフローチャートである。
【図１２】通常燃焼（拡散燃焼）から予混合圧縮着火燃焼への燃焼切替時における筒内ガス条件、着火遅れ及び燃料噴射条件の一例を示すタイミング図である。
【図１３】実際の着火遅れが着火遅れ目標値から短縮した場合における熱発生率波形（燃焼波形）の一例を示すグラフである。
【発明を実施するための形態】
【００２６】
以下、本発明に係る燃焼制御装置の好適な実施形態について、図面を参照して詳細に説明する。
【００２７】
図１は、本発明に係る燃焼制御装置の一実施形態を備えたディーゼルエンジンを示す概略構成図である。同図において、本実施形態に係るディーゼルエンジン１は、コモンレール式の４気筒直列ディーゼルエンジンである。ディーゼルエンジン１はエンジン本体２を備え、このエンジン本体２には４つのシリンダ（気筒）３が設けられている。
【００２８】
各シリンダ３には、燃焼室４内に燃料を噴射するインジェクタ（燃料噴射弁）５がそれぞれ配設されている。各インジェクタ５はコモンレール６に接続されており、コモンレール６に貯留された高圧燃料が各インジェクタ５に常時供給されている。
【００２９】
エンジン本体２には、燃焼室４内に空気を吸入するための吸気通路７がインテークマニホールド８を介して接続されている。また、エンジン本体２には、燃焼後の排気ガスを排出するための排気通路９がエキゾーストマニホールド１０を介して接続されている。
【００３０】
吸気通路７には、上流側から下流側に向けてエアクリーナー１１、ターボ過給機１２のコンプレッサ１３、インタークーラー１４及びスロットルバルブ１５が設けられている。排気通路９には、上流側から下流側に向けてターボ過給機１２のタービン１６及びＤＰＦ付き触媒１７が設けられている。
【００３１】
また、ディーゼルエンジン１は、燃焼後の排気ガスの一部を排気再循環ガス（ＥＧＲガス）として燃焼室４内に還流する排気再循環（ＥＧＲ）ユニット１８を備えている。ＥＧＲユニット１８は、吸気通路７とエキゾーストマニホールド１０とを繋ぐように設けられ、ＥＧＲガスを還流するためのＥＧＲ通路１９と、エキゾーストマニホールド１０から吸気通路７へのＥＧＲガスの還流量を調整するＥＧＲバルブ２０と、ＥＧＲ通路１９を通るＥＧＲガスを冷却するＥＧＲクーラ２１と、このＥＧＲクーラ２１をバイパスするようにＥＧＲ通路１９に接続されたバイパス通路２２と、ＥＧＲガスの流路をＥＧＲクーラ２１側またはバイパス通路２２側に切り替える切替弁２３とを有している。
【００３２】
さらに、ディーゼルエンジン１は、図２に示すように、回転数センサ２４と、アクセル開度センサ２５と、エアフローメータ２６と、インマニ圧センサ２７と、噴射圧センサ２８と、外気温センサ２９と、気圧センサ３０と、水温センサ３１と、電子制御ユニット（ＥＣＵ）３２とを備えている。
【００３３】
回転数センサ２４は、エンジン本体２の回転数（エンジン回転数）を検出するセンサ（回転数検出手段）である。回転数センサ２４は、例えばクランクシャフト（図示せず）の回転角度（クランク角）を検出することで、エンジン回転数を検出する。
【００３４】
アクセル開度センサ２５は、エンジン本体２の負荷（エンジン負荷）の代替値として、アクセルペダルの踏込み角（アクセル開度）を検出するセンサである。なお、本実施形態のようなコモンレール式燃料噴射装置を備えたディーゼルエンジン１では、燃料噴射量を電子制御しており、エンジン負荷の代替値として燃料噴射量を用いることも可能である。
【００３５】
エアフローメータ２６は、吸気通路７から燃焼室４内に吸入される空気量（新気量）を検出するセンサである。インマニ圧センサ２７は、インテークマニホールド８の圧力（インマニ圧）つまり過給圧を検出するセンサである。噴射圧センサ２８は、各インジェクタ５からの燃料の噴射圧を検出するセンサ（噴射圧検出手段）である。噴射圧センサ２８は、例えばコモンレール６の圧力（コモンレール圧）を噴射圧として検出する。
【００３６】
外気温センサ２９は、外気温を検出するセンサである。気圧センサ３０は、気圧を検出するセンサである。水温センサ３１は、エンジン本体２内を流れる冷却水の温度（冷却水温）を検出するセンサである。外気温センサ２９、気圧センサ３０及び水温センサ３１は、エンジン１の周囲環境状況を検出する周囲環境検出手段を構成している。
【００３７】
ＥＣＵ３２は、燃料噴射条件設定部３３と、燃料噴射制御部３４とを有している。燃料噴射条件設定部３３は、上記のセンサ２４〜３１の検出値に基づいて所定の処理を行い、燃料噴射条件を設定する。燃料噴射制御部３４は、燃料噴射条件設定部３３で設定された燃料噴射条件に応じて各インジェクタ５を制御することで、各燃焼室４内への燃料噴射を制御する。なお、燃料噴射条件設定部３３及び燃料噴射制御部３４の具体的な処理手順については、後で詳述する。
【００３８】
ここで、各インジェクタ５、センサ２４〜３１及びＥＣＵ３２は、本実施形態の燃焼制御装置３５を構成している。このような燃焼制御装置３５は、吸気行程、圧縮行程、膨張行程及び排気行程という１サイクルにおいて、各インジェクタ５から燃料を複数回に分けて噴射する分割噴射の予混合圧縮着火燃焼を行うように制御する。
【００３９】
図３は、ＥＣＵ３２の燃料噴射条件設定部３３により実行される燃料噴射条件設定処理手順の詳細を示すフローチャートである。なお、本処理は、各シリンダ３毎に実行される。
【００４０】
同図において、まず回転数センサ２４により検出されたクランク角に基づいて、燃料噴射条件を設定する時期であるかどうかを判断する（手順Ｓ１０１）。燃料噴射条件を設定する時期であると判断されたときは、回転数センサ２４により検出されたエンジン回転数及びアクセル開度センサ２５により検出されたアクセル開度（エンジン負荷）に基づいて、インジェクタ５から噴射される燃料の総量（燃料噴射量総量）を決定する（手順Ｓ１０２）。
【００４１】
続いて、エンジン回転数及びアクセル開度に基づいて、実施する燃焼方式を決定する（手順Ｓ１０３）。燃焼方式としては、予混合圧縮着火燃焼及び通常燃焼（拡散燃焼）の何れか一方が選択される。
【００４２】
続いて、エンジン回転数、燃料噴射量及び燃焼方式に基づいて、各分割噴射の噴射量（燃料噴射量）と時期（燃料噴射時期）を決定する（手順Ｓ１０４）。より具体的には、例えば予混合圧縮着火燃焼が選択された場合、１回目のメイン噴射及びこの後に実施される２回目のメイン噴射の燃料噴射量及び燃料噴射時期を決定する。このとき、アクセル開度が所定量よりも小さいときは、１回目のメイン噴射の前にプレ噴射を実施するため、プレ噴射の燃料噴射量及び燃料噴射時期も決定する。また、必要に応じて、２回目のメイン噴射の後に実施されるアフター噴射の燃料噴射量及び燃料噴射時期も決定する。なお、プレ噴射及びアフター噴射の燃料噴射量は、メイン燃料噴射の燃料噴射量よりも少なくする。
【００４３】
続いて、燃焼方式が予混合圧縮着火燃焼であるかどうかを判断する（手順Ｓ１０５）。燃焼方式が予混合圧縮着火燃焼ではなく通常燃焼であると判断されたときは、本処理を終了する。燃焼方式が予混合圧縮着火燃焼であると判断されたときは、現在のエンジン１の状態に応じた着火遅れを推定して、推定着火遅れτを求める（手順Ｓ１０６）。なお、着火遅れとは、燃料の噴射開始から着火までの期間（図９及び図１３参照）をいう。
【００４４】
図４は、手順Ｓ１０６において着火遅れを推定する機能を示すブロック図である。同図において、手順Ｓ１０６の機能としては、筒内ガス量検出部３６と、燃焼効率検出部３７と、筒内酸素量検出部３８と、筒内ガス温検出部３９と、ベース項生成部４０と、第１補正項生成部４１と、第２補正項生成部４２と、第３補正項生成部４３と、加算部４４〜４６とからなっている。
【００４５】
筒内ガス量検出部３６は、回転数センサ２４により検出されたエンジン回転数及びインマニ圧センサ２７により検出されたインマニ圧（過給圧）に基づいて、燃焼室４内のガス量（筒内ガス量）を検出する。具体的には、筒内ガス量検出部３６は、エンジン回転数及びインマニ圧と筒内ガス量との関係を表したマップを用いて、筒内ガス量を求める。
【００４６】
燃焼効率検出部３７は、回転数センサ２４により検出されたエンジン回転数、エアフローメータ２６により検出された新気量及び図３に示す手順Ｓ１０２で決定された燃料噴射量に基づいて、燃焼効率を検出する。具体的には、筒内ガス量検出部３７は、エンジン回転数、新気量及び燃料噴射量と燃焼効率との関係を表したマップを用いて、燃焼効率を求める。
【００４７】
筒内酸素量検出部３８は、エアフローメータ２６により検出された新気量、筒内ガス量検出部３６により求められた筒内ガス量、燃焼効率検出部３７により求められた燃焼効率及び上記の手順Ｓ１０２で決定された燃料噴射量に基づいて、燃焼室４内の酸素量（筒内酸素量）を求める。具体的には、筒内ガスに含まれる新気中の酸素量に加え、筒内ガスに含まれるＥＧＲガス中の酸素量を求める必要がある。まず、ＥＧＲガス量自体は、筒内ガス量と新気量との差として求めることができる。次に、ＥＧＲガス量中の酸素量の割合は、ＥＧＲガス還流遅れ分前の筒内酸素量、燃料噴射量及び燃焼効率により求めることができる。従って、筒内酸素量検出部３８は、新気量、筒内ガス量、燃焼効率及び燃料噴射量から、計算により筒内酸素量を求める。
【００４８】
筒内ガス温検出部３９は、インマニ圧センサ２７により検出されたインマニ圧、筒内ガス量検出部３６により求められた筒内ガス量、筒内酸素量検出部３８により求められた筒内酸素量及び図３に示す手順Ｓ１０４で決定された燃料噴射時期に基づいて、燃料噴射前の燃焼室４内のガス温度（筒内ガス温）を検出する。具体的には、筒内ガス温検出部３９は、インマニ圧、筒内ガス量、筒内酸素量及び燃料噴射時期と筒内ガス温との関係を表したマップを用いて、燃料噴射前の筒内ガス温を求める。
【００４９】
ベース項生成部４０は、筒内酸素量検出部３８により求められた筒内酸素量及び筒内ガス温検出部３９により求められた燃料噴射前の筒内ガス温に基づいて、推定着火遅れのベース項を生成する。具体的には、ベース項生成部４０は、図５に示すような第１着火遅れ感度マップを用いて、推定着火遅れのベース項を求める。第１着火遅れ感度マップは、筒内酸素量及び燃料噴射前の筒内ガス温に対する着火遅れ感度を表したマップである。第１着火遅れ感度マップは、筒内酸素量が増加するほど着火遅れが短縮し、燃料噴射前の筒内ガス温が上昇するほど着火遅れが短縮するように設定されている。
【００５０】
第１補正項生成部４１は、図３に示す手順Ｓ１０４で決定された燃料噴射時期及び回転数センサ２４により検出されたエンジン回転数に基づいて、推定着火遅れの第１補正項を生成する。具体的には、第１補正項生成部４１は、図６に示すような第２着火遅れ感度マップを用いて、推定着火遅れの第１補正項を求める。第２着火遅れ感度マップは、燃料噴射時期及びエンジン回転数に対する着火遅れ感度を表したマップである。
【００５１】
図７に示すように、燃料噴射時期（黒点Ｘ）が遅角されるほど、燃料噴射後の筒内容積の拡大に伴って燃料噴射から着火まで筒内ガス温が低下する。このため、第２着火遅れ感度マップは、図６に示すように、圧縮上死点（ＴＤＣ）以後の条件では、燃料噴射時期が遅角されるほど着火遅れが延長するように設定されている。また、エンジン回転数が高くなるほど、筒内容積の拡大に伴う筒内ガス温の低下が大きくなる。このため、第２着火遅れ感度マップは、図６に示すように、エンジン回転数が高くなるほど着火遅れが延長するように設定されている。
【００５２】
第２補正項生成部４２は、噴射圧センサ２８により検出された燃料噴射圧に基づいて、推定着火遅れの第２補正項を生成する。具体的には、第２補正項生成部４２は、図８に示すような第３着火遅れ感度マップを用いて、推定着火遅れの第２補正項を求める。第３着火遅れ感度マップは、燃料噴射圧に対する着火遅れ感度を表したマップである。燃料噴射圧が高圧条件になるほど、燃料の微粒化により燃料の蒸発が促進される。このため、第３着火遅れ感度マップは、図８に示すように、燃料噴射圧が高くなるほど着火遅れが短縮するように設定されている。
【００５３】
第３補正項生成部４３は、外気温センサ２９により検出された外気温、気圧センサ３０により検出された気圧及び水温センサ３１により検出された冷却水温に基づいて、推定着火遅れの第３補正項を生成する。具体的には、第３補正項生成部４３は、外気温、気圧及び冷却水温に対する着火遅れ感度を表した第４着火遅れ感度マップ（図示せず）を用いて、推定着火遅れの第３補正項を求める。
【００５４】
ベース項生成部４０、第１補正項生成部４１及び第２補正項生成部４２により各々生成されるベース項、第１補正項及び第２補正項は、標準環境条件下（例えば気温２５℃、大気圧１０１ＫＰａ、水温８０℃）において推定着火遅れを求めるための項である。一方、第３補正項生成部４３によって生成される第３補正項は、環境条件の変化を加味して推定着火遅れを求めるための項である。
【００５５】
加算部４４は、ベース項生成部４０により生成された推定着火遅れのベース項と第１補正項生成部４１により生成された推定着火遅れの第１補正項とを加算して、一次推定着火遅れを算出する。加算部４５は、加算部４４により算出された一次推定着火遅れに第２補正項生成部４２により生成された推定着火遅れの第２補正項を加算して、二次推定着火遅れを算出する。加算部４６は、加算部４５により算出された二次推定着火遅れに第３補正項生成部４３により生成された推定着火遅れの第３補正項を加算して、最終的な推定着火遅れτを算出する。
【００５６】
ここで、図９に示すように、プレ噴射を実施しないときは、着火遅れの基準はメイン噴射の開始時期である。一方、プレ噴射を実施するときは、着火遅れの基準はプレ噴射の開始時期である。プレ噴射を実施する条件では、プレ噴射による燃料と空気との予混合気と、メイン噴射による燃料と空気との予混合気とがほぼ同時に燃焼する。従って、プレ噴射を実施するときは、着火遅れの基準をプレ噴射の開始時期とすることで、筒内酸素量と着火遅れとの関係としては、図１０に示すように、プレ噴射を実施しない条件と同等の着火遅れ感度（図中の破線Ｐ参照）が得られ、着火遅れが推定可能となる。なお、図１０において、四角印Ｑは、プレ噴射を実施する条件において、着火遅れの基準をプレ噴射の開始時期とした時の着火遅れ感度を示し、丸印Ｒは、プレ噴射を実施する条件において、着火遅れの基準をメイン噴射の開始時期とした時の着火遅れ感度を示したものである。よって、プレ噴射を実施しない条件での着火遅れ感度マップが使用可能となるため、プレ噴射を実施する条件での着火遅れ感度マップを追加しなくて済む。
【００５７】
以上のように、筒内酸素量、燃料噴射前の筒内ガス温、燃料噴射時期、エンジン回転数及び燃料噴射圧に基づいて標準環境条件下での着火遅れの推定を行い、更に外気温、気圧及び冷却水温といった環境条件の変化を加味して着火遅れを補正するので、精度の良い推定着火遅れτを得ることができる。
【００５８】
図３に戻り、手順Ｓ１０６において推定着火遅れτを求めた後、予混合圧縮着火燃焼時の目標着火遅れτｔｐを求める（手順Ｓ１０７）。このとき、回転数センサ２４により検出されたエンジン回転数、上記の手順Ｓ１０２で決定された燃料噴射量、外気温センサ２９により検出された外気温、気圧センサ３０により検出された気圧及び水温センサ３１により検出された冷却水温に基づいて、予め設定された目標着火遅れマップを用いて目標着火遅れτｔｐを求める。なお、目標着火遅れτｔｐは、エンジン回転数、燃料噴射量、外気温、気圧及び冷却水温に応じた目標燃焼波形を得るための着火遅れである。
【００５９】
続いて、下記式より推定着火遅れτと目標着火遅れτｔｐとの偏差（着火遅れ偏差Δτｔｐ）を算出する（手順Ｓ１０８）。
着火遅れ偏差Δτｔｐ＝推定着火遅れτ−目標着火遅れτｔｐ
【００６０】
推定着火遅れτが目標着火遅れτｔｐよりも所定量以上短い、つまり着火遅れ偏差Δτｔｐ≦所定量Ａ（Ａ＜０）であるかどうかを判断する（手順Ｓ１０９）。推定着火遅れτが目標着火遅れτｔｐよりも所定量以上短いと判断されたときは、引き続いて先の手順（手順Ｓ１０２）でプレ噴射を行わないこととしたかどうかを判断する（手順Ｓ１１０）。先の手順でプレ噴射を行わないこととしたと判断されたときは、プレ噴射の燃料噴射量及び燃料噴射時期を決定する（手順Ｓ１１１）。このとき、１回目のメイン噴射の燃料噴射量または２回目のメイン噴射の燃料噴射量からプレ噴射の燃料噴射量分を減量する。
【００６１】
手順Ｓ１０９で推定着火遅れτが目標着火遅れτｔｐよりも所定量以上短いことはないと判断されたとき、または手順Ｓ１１０でプレ噴射を行うこととしたと判断されたときは、手順Ｓ１１１を実行しない。このようにエンジン負荷が低いためにプレ噴射を実施することが既に決まっているときは、新たなプレ噴射を追加実施することは無いので、プレ噴射の実施回数を必要以上に増やさなくて済む。
【００６２】
続いて、推定着火遅れτが目標着火遅れτｔｐよりも短い、つまり着火遅れ偏差Δτｔｐ＜０であるかどうかを判断する（手順Ｓ１１２）。推定着火遅れτが目標着火遅れτｔｐよりも短いと判断されたときは、着火遅れ偏差Δτｔｐに応じて全ての燃料噴射の燃料噴射時期を遅角する（手順Ｓ１１３）。このとき、プレ噴射を実施する場合には、プレ噴射により失火耐性が向上するため、十分な遅角量を確保することができる。
【００６３】
続いて、着火遅れ偏差Δτｔｐに応じてメイン噴射の燃料噴射量を変更する（手順Ｓ１１４）。このとき、運転領域（エンジン回転数及びエンジン負荷等）によってメイン噴射の燃料噴射量を増量または減量する。例えば、エンジン発生トルクが低いときは、着火遅れ偏差Δτｔｐに応じてメイン噴射の燃料噴射量を増量し、エンジン発生トルクが高いときは、着火遅れ偏差Δτｔｐに応じてメイン噴射の燃料噴射量を減量する。
【００６４】
一方、手順Ｓ１１２で推定着火遅れτが目標着火遅れτｔｐ以上である、つまり着火遅れ偏差Δτｔｐ≧０であると判断されたときは、着火遅れ偏差Δτｔｐに応じて全ての燃料噴射の燃料噴射時期を進角する（手順Ｓ１１５）。
【００６５】
続いて、着火遅れ偏差Δτｔｐに応じてメイン噴射の燃料噴射量を変更する（手順Ｓ１１６）。このとき、上記の手順Ｓ１１４と同様に、運転領域（エンジン回転数及びエンジン負荷等）によってメイン噴射の燃料噴射量を増量または減量する。
【００６６】
図１１は、ＥＣＵ３２の燃料噴射制御部３４により実行される燃料噴射制御処理手順の詳細を示すフローチャートである。なお、本処理も、各シリンダ３毎に実行される。
【００６７】
同図において、まず燃料噴射条件設定部３３により設定された燃料噴射条件にプレ噴射があるかどうかを判断する（手順Ｓ１２１）。燃料噴射条件にプレ噴射があると判断されたときは、燃料噴射条件設定部３３により設定された燃料噴射量及び燃料噴射時期に応じてプレ噴射を実施する（手順Ｓ１２２）。燃料噴射条件にプレ噴射の実施が無いと判断されたときは、手順Ｓ１２２を実施しない。
【００６８】
続いて、燃料噴射条件設定部３３により設定された燃料噴射量及び燃料噴射時期に応じて１回目のメイン噴射を実施する（手順Ｓ１２３）。そして、燃料噴射条件設定部３３により設定された燃料噴射量及び燃料噴射時期に応じて２回目のメイン噴射を実施する（手順Ｓ１２４）。その後、燃料噴射条件設定部３３により設定された燃料噴射条件にアフター噴射があるときは、アフター噴射を実施する。
【００６９】
以上において、燃料噴射条件設定部３３は、メイン噴射を含む燃料噴射の燃料噴射量及び燃料噴射時期を決定する燃料噴射条件決定手段と、燃料噴射弁５から燃料を噴射させる前に燃料噴射による着火遅れを推定する着火遅れ推定手段と、予混合圧縮着火燃焼を行う際の目標着火遅れを求める目標着火遅れ設定手段と、着火遅れ推定手段により得られた推定着火遅れと目標着火遅れ設定手段により得られた目標着火遅れとの着火遅れ偏差を算出する着火遅れ偏差算出手段と、推定着火遅れが目標着火遅れよりも所定量以上短いときに、メイン噴射の前に実施されるプレ噴射の燃料噴射量及び燃料噴射時期を決定するプレ噴射追加補正手段とを構成する。また、燃料噴射条件設定部３３は、推定着火遅れが目標着火遅れよりも短いときに、着火遅れ偏差算出手段により算出された着火遅れ偏差に応じて、燃料噴射条件決定手段により決定された燃料噴射の燃料噴射時期を遅角する噴射時期遅角補正手段と、推定着火遅れが目標着火遅れよりも長いときに、着火遅れ偏差算出手段により算出された着火遅れ偏差に応じて、燃料噴射条件決定手段により決定された燃料噴射の燃料噴射時期を進角する噴射時期進角補正手段と、着火遅れ偏差算出手段により算出された着火遅れ偏差に応じて、燃料噴射条件決定手段により決定されたメイン噴射の燃料噴射量を変更するメイン噴射量変更補正手段とを構成する。
【００７０】
燃料噴射条件設定部３３において、図３に示す手順Ｓ１０２〜Ｓ１０４は燃料噴射条件決定手段として機能し、同手順Ｓ１０６は着火遅れ推定手段として機能し、同手順Ｓ１０７は目標着火遅れ設定手段として機能し、同手順Ｓ１０８は着火遅れ偏差算出手段として機能し、同手順Ｓ１０９〜Ｓ１１１はプレ噴射追加補正手段として機能し、同手順Ｓ１１２，Ｓ１１３は噴射時期遅角補正手段として機能し、同手順Ｓ１１２，Ｓ１１５は噴射時期進角補正手段として機能し、同手順Ｓ１１４，Ｓ１１６はメイン噴射量変更補正手段として機能する。
【００７１】
ここで、通常燃焼（拡散燃焼）から予混合圧縮着火燃焼への燃焼切替時には、図１２に示すように、筒内ガス条件（例えば筒内酸素量）及び燃料噴射条件（例えばメイン噴射の燃料噴射時期）が一斉に変更される。このとき、燃焼切替タイミングから所定期間Ｗ内に、筒内ガス条件及び着火遅れが徐々に変化して予混合圧縮着火燃焼の目標値（破線参照）に一致するようになる。
【００７２】
このとき、上述したように推定着火遅れτと目標着火遅れτｔｐとの着火遅れ偏差Δτｔｐに応じて燃料噴射時期を遅角または進角することにより、燃料噴射条件は、燃焼切替タイミングと同時に通常燃焼の燃料噴射時期から予混合圧縮着火燃焼の燃料噴射時期に変更されるのではなく（破線参照）、燃焼切替タイミングから徐々に変更されるようになる（実線参照）。
【００７３】
ところで、減速やシフトチェンジ等の燃料カット時または加速の際の過給遅れ時といった予混合圧縮着火燃焼の過渡運転時、通常燃焼（拡散燃焼）から予混合圧縮着火燃焼への燃焼切替時には、燃焼騒音の増大、ＮＯｘ排出量の増加、失火、エンジントルクの変動等の問題が発生する。そのような問題は、筒内酸素量、筒内ガス温等のずれによるＥＧＲ還流遅れや、燃料噴射圧の追従遅れによって、実際の着火遅れが着火遅れ目標値から乖離することに起因して生じる。例えば図１３に示すように、筒内酸素量、筒内ガス温及び燃料噴射圧が必要以上に高くなることで、実際の燃焼波形（実線Ｍ参照）が目標となる燃焼波形（１点鎖線Ｎ参照）よりも進角し、１回目のメイン噴射開始からの実際の着火遅れが着火遅れ目標値よりも短縮すると、燃焼騒音の増大、ＮＯｘ排出量の増加、エンジントルクの低下が発生する。
【００７４】
これに対し本実施形態では、燃料噴射量及び燃料噴射時期を決定した後、推定着火遅れτを求めると共に目標着火遅れτｔｐを求め、推定着火遅れτと目標着火遅れτｔｐとの着火遅れ偏差Δτｔｐを算出し、推定着火遅れτが目標着火遅れτｔｐよりも所定量以上短いときに、プレ噴射を追加実施する。従って、燃料カット時や通常燃焼から予混合圧縮着火燃焼への燃焼切替時に、急峻な熱発生が抑えられるため、燃焼騒音を低減することができる。
【００７５】
また、推定着火遅れτが目標着火遅れτｔｐよりも短いときは、着火遅れ偏差Δτｔｐに応じて燃料噴射時期を遅角するようにしたので、燃料カット時や通常燃焼から予混合圧縮着火燃焼への燃焼切替時に、過度の燃焼が一層抑えられる。これにより、燃焼騒音を更に低減することができると共に、ＮＯｘ排出量の増加を抑制することができる。
【００７６】
さらに、推定着火遅れτが目標着火遅れτｔｐ以上であるときは、着火遅れ偏差Δτｔｐに応じて燃料噴射時期を進角するようにしたので、加速の際の過給遅れ時に、燃焼の安定性が高くなる。これにより、失火及びスモーク排出を抑制することができる。
【００７７】
また、着火遅れ偏差Δτｔｐに応じてメイン噴射の燃料噴射量を増量または減量するようにしたので、燃料カット時、加速の際の過給遅れ時、通常燃焼から予混合圧縮着火燃焼への燃焼切替時に、エンジントルクの変動を抑制することができる。
【００７８】
さらに、着火遅れ目標値からの乖離に影響を与える筒内酸素量、筒内ガス温及び燃料噴射圧を用いて着火遅れを推定するので、高精度な推定着火遅れτを得ることができる。従って、プレ噴射の追加実施、燃料噴射時期の遅角または進角、メイン噴射の燃料噴射量の変更といった燃料噴射条件の補正を適切に行うことができる。
【００７９】
以上のように本実施形態によれば、予混合圧縮着火燃焼の過渡運転時や通常燃焼から予混合圧縮着火燃焼への燃焼切替時に生じる燃焼騒音の増大、ＮＯｘ排出量の増加、失火、エンジントルクの変動等を抑制することができる。その結果、優れた予混合圧縮着火燃焼を実現することが可能となる。
【００８０】
なお、本発明は、上記実施形態に限定されるものではない。例えば上記実施形態では、筒内酸素量、燃料噴射前の筒内ガス温、燃料噴射時期、エンジン回転数、燃料噴射圧、外気温、気圧及び冷却水温に基づいて推定着火遅れτを求めるようにしたが、特にそれには限られず、少なくとも筒内酸素量及び燃料噴射前の筒内ガス温を用いて推定着火遅れτを求めれば良い。
【００８１】
また、上記実施形態では、メイン噴射を２回に分けて行うようにしたが、メイン噴射の噴射回数としては、特に２回には限られず、１回のみであっても良いし、３回以上であっても良い。
【符号の説明】
【００８２】
１…ディーゼルエンジン、４…燃焼室、５…インジェクタ（燃料噴射弁）、２４…回転数センサ（回転数検出手段）、２８…噴射圧センサ（噴射圧検出手段）、２９…外気温センサ（周囲環境検出手段）、３０…気圧センサ（周囲環境検出手段）、３１…水温センサ（周囲環境検出手段）、３２…ＥＣＵ、３３…燃料噴射条件設定部（燃料噴射条件決定手段、着火遅れ推定手段、目標着火遅れ設定手段、着火遅れ偏差算出手段、プレ噴射追加補正手段、噴射時期遅角補正手段、噴射時期進角補正手段、メイン噴射量変更補正手段）、３４…燃料噴射制御部、３５…燃焼制御装置、３８…筒内酸素量検出部、３９…筒内ガス温検出部。
【図１】
2014136994.tif 000003
【図２】
2014136994.tif 000004
【図３】
2014136994.tif 000005
【図４】
2014136994.tif 000006
【図５】
2014136994.tif 000007
【図６】
2014136994.tif 000008
【図７】
2014136994.tif 000009
【図８】
2014136994.tif 000010
【図９】
2014136994.tif 000011
【図１０】
2014136994.tif 000012
【図１１】
2014136994.tif 000013
【図１２】
2014136994.tif 000014
【図１３】
2014136994.tif 000015